【手続補正書】
【提出日】平成26年8月11日(2014.8.11)
【手続補正１】
【補正対象書類名】特許請求の範囲
【補正対象項目名】全文
【補正方法】変更
【補正の内容】
【特許請求の範囲】
【請求項１】
減圧治療システムであって、
該システムは、
吸引チャンバと、該吸引チャンバの中の摺動可能なシールとを含む吸引デバイスと、
該摺動可能なシールに連結される磁石と、
該吸引デバイスを保持するように構成されるアラームデバイスであって、該アラームデバイスは、該吸引チャンバ内の該磁石の場所を検出するように構成されるセンサと、該磁石の該場所に従って警告を生成するように構成される通知機構とを含む、アラームデバイスと
を含む、減圧治療システム。
【請求項２】
前記アラームデバイスは、前記吸引デバイスを保持すると電気的に起動されるように構成される、請求項１に記載の減圧治療システム。
【請求項３】
前記アラームデバイスは、触覚電源スイッチをさらに含み、該触覚電源スイッチは、該アラームデバイスが前記吸引デバイスを保持するときに該吸引デバイスによって押されるように構成される、請求項１または２に記載の減圧治療システム。
【請求項４】
前記吸引デバイスは、流体吸収材料をさらに含み、該流体吸収材料は、前記吸引チャンバ内のキャリアによって保持される、請求項１〜３のうちのいずれか一項に記載の減圧治療システム。
【請求項５】
前記流体吸収材料は、前記キャリアの外面に結合され、または、該キャリアは、パウチを含み、該パウチは、該流体吸収材料を解放可能に保持するように構成される、請求項４に記載の減圧治療システム。
【請求項６】
膨張性流体吸収材料は、吸引デバイス配向から独立している前記吸引チャンバの選択された領域の中に隔離される、請求項４または５に記載の減圧治療システム。
【請求項７】
前記吸引デバイスは、スクリーンをさらに含み、該スクリーンは、前記キャリアと前記吸引チャンバの遠位部分との間に位置する、請求項４〜６のうちのいずれか一項に記載の減圧治療システム。
【請求項８】
前記スクリーンは、前記吸引チャンバまたは前記キャリアに接着して取り付けられる、請求項７に記載の減圧治療システム。
【請求項９】
前記吸引デバイスは、装填構成および空乏構成を有し、該装填構成において、前記磁石は、前記センサによって検出可能ではなく、該空乏構成において、該磁石は、該センサによって検出可能である、請求項１〜８のうちのいずれか一項に記載の減圧治療システム。
【請求項１０】
前記アラームデバイスは、前記吸引デバイスが該アラームデバイス内に保持されている際に、該吸引デバイスの配向にかかわらず、該吸引デバイスの前記構成を検出するように構成される、請求項１〜８のうちのいずれか一項に記載の減圧治療システム。
【請求項１１】
前記センサは、第１の場所にある第１のリードスイッチと、該第１の場所から分離した第２の場所にある第２のリードスイッチとを含み、前記アラームデバイスは、前記装填構成において、前記磁石が該第１の場所と該第２の場所との間に位置し、いずれか一方のリードスイッチによっては検出可能ではなく、前記空乏構成において、該磁石が少なくとも１つのリードスイッチによって検出可能であるように、前記吸引デバイスを保持する、請求項９に記載の減圧治療システム。
【請求項１２】
前記第１の場所と前記第２の場所とは、第１の中間点を有する第１の線を画定し、装填構成から空乏構成までの前記磁石の進行経路は、第２の中間点を有する第２の線を画定し、該第１の中間点と該第２の中間点とは、相互からオフセットされている、請求項１１に記載の減圧治療システム。
【請求項１３】
最も近いリードスイッチまでの前記磁石の距離は、前記装填構成よりも前記空乏構成においてより小さい、請求項１１に記載の減圧治療システム。
【請求項１４】
前記吸引デバイスは、２つの配向または４つの配向で前記アラームデバイス内に保持され得る、請求項９に記載の減圧治療システム。
【請求項１５】
前記吸引デバイスは、第１の配向および第２の配向で前記アラームデバイス内に保持されるように構成され、該第２の配向は、該吸引デバイスの横軸の周りを１８０度回転させられた該第１の配向であり、または、該吸引デバイスは、第１の配向および第２の配向で該アラームデバイス内に保持され得、該第２の配向は、該吸引デバイスの縦軸の周りを１８０度回転させられた該第１の配向である、請求項１３に記載の減圧治療システム。
【手続補正２】
【補正対象書類名】明細書
【補正対象項目名】００４５
【補正方法】変更
【補正の内容】
【００４５】
本明細書では、その中に摺動可能なシールを有する吸引チャンバと、摺動可能なシールに連結される磁気要素または磁石と、遠位部分における第１の整列突出部と、近位部分における第２の整列突出部とを備えてもよい、減圧治療デバイスの別の変形例が開示される。吸引デバイスは、装填構成および空乏構成を有してもよく、装填構成での磁石の第１の整列突出部までの距離は、空乏構成での磁石の第２の整列突出部までの距離よりも大きい。減圧治療デバイスの別の変形例では、装填構成での磁石の吸引チャンバの遠位端までの距離は、空乏構成での磁石の吸引チャンバの近位端までの距離よりも大きい。
本願明細書は、例えば、以下の項目も提供する。
（項目１）
減圧治療システムであって、
該システムは、
吸引チャンバ、およびその中の摺動可能なシールを含む吸引デバイスと、
該摺動可能なシールに連結される磁石と、
該吸引デバイスを保持するように構成されるアラームデバイスであって、該アラームデバイスは、該吸引チャンバ内の該磁石の場所を検出するように構成されるセンサと、該磁石の該場所に従って警告を生成するように構成される通知機構とを含む、アラームデバイスと
を含む、システム。
（項目２）
前記アラームデバイスは、前記吸引デバイスを保持すると電気的に起動されるように構成される、項目１に記載の減圧治療システム。
（項目３）
前記吸引デバイスは、外面に沿って導体要素をさらに含み、前記アラームデバイスは、２つ以上のコネクタを含み、該導体要素は、該２つ以上のコネクタの間に電線管を提供して、該アラームデバイスを電気的に起動するように構成される、項目２に記載の減圧治療システム。
（項目４）
前記アラームデバイスは、触覚電源スイッチをさらに含み、該触覚電源スイッチは、該アラームデバイスが前記吸引デバイスを保持するときに押されるように構成される、項目１〜３のうちのいずれか一項に記載の減圧治療システム。
（項目５）
前記吸引デバイスは、流体吸収材料をさらに含み、該流体吸収材料は、前記吸引チャンバ内のキャリアによって保持される、項目１〜４のうちのいずれか一項に記載の減圧治療システム。
（項目６）
前記流体吸収材料は、前記キャリアの外面に結合される、項目５に記載の減圧治療システム。
（項目７）
前記キャリアは、パウチを含み、該パウチは、前記流体吸収材料を解放可能に保持するように構成される、項目５または６に記載の減圧治療システム。
（項目８）
前記吸引デバイスは、スクリーンをさらに含み、該スクリーンは、前記吸引チャンバの選択された領域の中に膨張性流体吸収材料を隔離するように構成される、項目５〜７のうちのいずれか一項に記載の減圧治療システム。
（項目９）
前記膨張性流体吸収材料は、吸引デバイス配向から独立している前記吸引チャンバの前記選択された領域の中に隔離される、項目８に記載の減圧治療システム。
（項目１０）
前記吸引デバイスは、スクリーンをさらに含み、該スクリーンは、前記キャリアと前記吸引チャンバの遠位部分との間に位置する、項目５〜７のうちのいずれか一項に記載の減圧治療システム。
（項目１１）
前記スクリーンは、前記吸引チャンバに接着して取り付けられる、項目８または９に記載の減圧治療システム。
（項目１２）
前記スクリーンは、前記キャリアに接着して取り付けられる、項目９に記載の減圧治療システム。
（項目１３）
前記吸引デバイスは、装填構成および空乏構成を有し、該装填構成において、前記磁石は、前記センサによって検出可能ではなく、該空乏構成において、該磁石は、該センサによって検出可能である、項目１〜１２のうちのいずれか一項に記載の減圧治療システム。
（項目１４）
前記アラームデバイスは、前記吸引デバイスが該アラームデバイス内に保持されている際に、該吸引デバイスの配向にかかわらず、該吸引デバイスの前記構成を検出するように構成される、項目１３に記載の減圧治療システム。
（項目１５）
前記センサは、第１の場所にある第１のリードスイッチと、該第１の場所から分離した第２の場所にある第２のリードスイッチとを含み、前記アラームデバイスは、前記装填構成において、前記磁石が該第１の場所と第２の場所との間に位置し、いずれか一方のリードスイッチによっては検出可能ではなく、前記空乏構成において、該磁石が少なくとも１つのリードスイッチによって検出可能であるように、前記吸引デバイスを保持する、項目１４に記載の減圧治療システム。
（項目１６）
前記第１の場所と第２の場所とは、第１の中間点を有する第１の線を画定し、装填構成から空乏構成までの前記磁石の進行経路は、第２の中間点を有する第２の線を画定し、該第１の中間点と第２の中間点とは、相互からオフセットされている、項目１５に記載の減圧治療システム。
（項目１７）
最も近いリードスイッチまでの前記磁石の距離は、前記装填構成よりも前記空乏構成においてより小さい、項目１５に記載の減圧治療システム。
（項目１８）
前記吸引デバイスは、２つの配向で前記アラームデバイス内に保持され得る、項目１４に記載の減圧治療システム。
（項目１９）
前記吸引デバイスは、４つの配向で前記アラームデバイス内に保持され得る、項目１４に記載の減圧治療システム。
（項目２０）
前記吸引デバイスは、第１の配向および第２の配向で前記アラームデバイス内に保持されるように構成され、該第２の配向は、該吸引デバイスの横軸の周りを１８０度回転させられた該第１の配向である、項目１４に記載の減圧治療システム。
（項目２１）
前記吸引デバイスは、第１の配向および第２の配向で前記アラームデバイス内に保持され得、該第２の配向は、該吸引デバイスの縦軸の周りを１８０度回転させられた該第１の配向である、項目１４に記載の減圧治療システム。
（項目２２）
前記アラームデバイスの近位場所にあるリードスイッチをさらに含み、該アラームデバイスは、前記装填構成において、前記磁石が該リードスイッチによって検出可能ではなく、前記空乏構成において、該磁石が該リードスイッチによって検出可能であるように、該吸引デバイスを保持する、項目１３に記載の減圧治療システム。
（項目２３）
減圧治療システムであって、
該システムは、
入口開口部を有する吸引チャンバ、およびその中の摺動可能なシールを含む吸引デバイスと、
該吸引チャンバ内に位置する膨張性流体吸収材料と、
該吸引デバイスから外への該膨張性流体吸収材料の変位を阻止するように構成されるスクリーンと
を含む、システム。
（項目２４）
前記スクリーンは、前記吸引チャンバ内に位置する、項目２３に記載の減圧治療システム。
（項目２５）
前記膨張性流体吸収材料は、任意の流体吸収前に、前記吸引チャンバの中に固定場所を有し、該吸引チャンバは、吸引デバイス配向から独立している、項目２３に記載の減圧治療システム。
（項目２６）
前記膨張性流体吸収材料は、キャリア構造によって保持される、項目２５に記載の減圧治療システム。
（項目２７）
前記膨張性流体吸収材料は、前記キャリア構造の表面に結合される、項目２６に記載の減圧治療システム。
（項目２８）
前記膨張性流体吸収材料は、前記キャリア構造内に解放可能に含有される、項目２６に記載の減圧治療システム。
（項目２９）
前記キャリア構造は、透過性パウチを含む、項目２８に記載の減圧治療システム。
（項目３０）
前記透過性パウチは、一緒に密閉された２つの透過性層を含む、項目２９に記載の減圧治療システム。
（項目３１）
減圧治療用のデバイスであって、
該デバイスは、
縦軸および該縦軸に垂直な放射軸を有する吸引チャンバと、
該吸引チャンバ内に位置するシールアセンブリであって、該シールアセンブリは、シールマウントに連結されるシールを含み、該シールおよびシールマウントは、相互に対して移動可能である、シールアセンブリと
を含み、
該シールアセンブリは、該吸引チャンバの該縦軸に沿って摺動するように構成される、デバイス。
（項目３２）
前記シールは、遠位フランジと、近位フランジとを含み、該遠位および近位フランジは、偏向可能である、項目３１に記載のデバイス。
（項目３３）
前記シールは、近位開口を有する管腔と、遠位レッジとをさらに含み、前記シールマウントは、該レッジに係合するように構成される突出縁を含む、項目３２に記載のデバイス。
（項目３４）
前記シールと前記シールマウントとは、前記管腔の内壁の一部分と該シールマウントとが間隙によって分離されるように連結される、項目３３に記載のデバイス。
（項目３５）
前記シールマウントの前記突出縁は、前記シールアセンブリが遠位に摺動するときには前記管腔レッジに接触せず、該突出縁は、該シールアセンブリが近位に摺動するときに該管腔レッジに接触する、項目３４に記載のデバイス。
（項目３６）
前記シールの前記近位フランジは、前記遠位フランジよりも大きい半径方向の圧縮が可能である、項目３４に記載のデバイス。
（項目３７）
前記シールの側壁は、半径方向に圧縮可能である、項目３４に記載のデバイス。
（項目３８）
前記シールの側壁は、前記近位フランジが偏向させられると、半径方向に偏向するように構成される、項目３７に記載のデバイス。
（項目３９）
前記吸引チャンバの内壁に沿って位置する潤滑剤をさらに含む、項目３７に記載のデバイス。
（項目４０）
前記潤滑剤は流動可能である、項目３９に記載のデバイス。
（項目４１）
前記潤滑剤は、１，０００，０００ｃＰよりも大きい粘度によって特徴付けられる、項目３９に記載のデバイス。
（項目４２）
前記潤滑剤は、１，５００，０００ｃＰの粘度を有する、項目４１に記載のデバイス。
（項目４３）
前記潤滑剤は、少なくとも１つのシリコーンを含む、項目３９に記載のデバイス。
（項目４４）
前記潤滑剤は、フルオロシリコーン、ジメチルシリコーン、ペルフルオロポリエーテル、石油スピリット、合成油、およびポリキシレンから成る群からの少なくとも１つの構成要素を含む、項目３９に記載のデバイス。
（項目４５）
前記シールアセンブリの少なくとも一部分は、ジメチルシリコーンでできており、潤滑剤は、該潤滑剤の粘度が少なくとも１，５００，０００ｃＰである量のフルオロシリコーンおよびジメチルシリコーンを含む、項目３９に記載のデバイス。
（項目４６）
前記潤滑剤は、２０Ｍｏｌ％のフルオロシリコーンおよび８０Ｍｏｌ％のジメチルシリコーンの流体を含む、項目４５に記載のデバイス。
（項目４７）
前記潤滑剤は、少なくとも、該潤滑剤が接触している表面と非反応性であり、該表面は、少なくとも、前記チャンバの前記内壁および前記シールアセンブリの少なくとも一部分を含む、項目３９に記載のデバイス。
（項目４８）
前記潤滑剤は、前記シールアセンブリの少なくとも一部分と前記吸引チャンバの内面とに同時に接触している、項目４５に記載のデバイス。
（項目４９）
患者を治療する方法であって、
該方法は、
吸引デバイスを使用して、陰圧を治療部位に提供することを含み、該吸引デバイスは、遠位部分および近位部分を有する吸引チャンバと、該吸引チャンバ内の摺動シールアセンブリと、該摺動シールアセンブリに取り付けられ、該吸引チャンバを横断して該摺動シールアセンブリを移動させるように構成される一定力バネとを含み、該チャンバの該遠位部分は、第１の断面積を有し、該チャンバの該近位部分は、該第１の断面積よりも大きい第２の断面積を有する、方法。
（項目５０）
前記摺動シールアセンブリは、シールマウントに連結されるシールを含み、該シールとシールマウントとは、該摺動シールアセンブリが前記遠位部分と近位部分との間を移動する際に、相互に対して移動可能である、項目４９に記載の方法。
（項目５１）
前記吸引デバイスは、潤滑剤をさらに含み、該潤滑剤は、前記摺動シールアセンブリの少なくとも一部分と前記吸引チャンバの内面とに同時に接触している、項目５０に記載の方法。
（項目５２）
患者を治療する方法であって、
該方法は、
吸引デバイスを使用して、吸引を治療部位に提供することと、
流体吸収材料を使用して、流体を治療部位から吸収することであって、該流体吸収材料は、流体吸収前に、固定場所を該吸引デバイス内に有する、ことと
を含む、方法。
（項目５３）
前記吸引デバイス内に位置するスクリーンを使用して、前記流体吸収材料の排出を阻止することをさらに含む、項目５２に記載の患者を治療する方法。
（項目５４）
前記吸引デバイスは、摺動シールを有する吸引生成チャンバを含み、前記流体吸収材料および前記スクリーンは、該吸引生成チャンバ内に位置する、項目５３に記載の患者を治療する方法。
（項目５５）
患者を治療する方法であって、
該方法は、
吸引生成チャンバを含む吸引デバイスを使用して、吸引を治療部位に提供することと、
流体吸収材料を使用して、流体を治療部位から吸収することと、
該吸引生成チャンバ内に位置するスクリーンを使用して、該流体吸収材料の排出を阻止することと
を含む、方法。
（項目５６）
前記流体吸収材料は、固定場所を前記吸引生成チャンバ内に有する、項目５５に記載の患者を治療する方法。
（項目５７）
減圧治療システムであって、
該システムは、
入口開口部を自身の遠位部分に有する吸引チャンバ、およびその中の摺動可能なシールを含む吸引デバイスと、
該吸引チャンバ内に位置する膨張性流体吸収材料と、
該吸引チャンバの選択された領域の中に該膨張性流体吸収材料を隔離するように構成されるスクリーンと
を含む、システム。
（項目５８）
前記膨張性流体吸収材料は、前記吸引チャンバの前記選択された領域の中に隔離され、該吸引チャンバは、吸引デバイス配向から独立している、項目５７に記載の減圧治療システム。
（項目５９）
前記スクリーンは、前記吸引チャンバの遠位部分において前記膨張性流体吸収材料を隔離する、項目５８に記載の減圧治療システム。
（項目６０）
前記膨張性流体吸収材料は、キャリア構造によって保持され、該キャリア構造は、前記吸引チャンバの中の前記選択された領域に保持される、項目５８に記載の減圧治療システム。
（項目６１）
前記膨張性流体吸収材料は、前記キャリア構造に結合される、項目６０に記載の減圧治療システム。
（項目６２）
前記膨張性流体吸収材料は、前記キャリア構造の表面に結合される、項目６１に記載の減圧治療システム。
（項目６３）
前記膨張性流体吸収材料は、前記キャリア構造に織り込まれる、項目６１に記載の減圧治療システム。
（項目６４）
前記キャリア構造は、それを通る開口を含み、該開口は、前記吸引チャンバの前記入口開口部と整列させられる、項目６３に記載の減圧治療システム。
（項目６５）
前記スクリーンは、前記入口開口部と前記キャリア構造との間に挿入される、項目６４に記載の減圧治療システム。
（項目６６）
前記膨張性流体吸収材料は、前記キャリア構造内に解放可能に含有される、項目６０に記載の減圧治療システム。
（項目６７）
前記キャリア構造は、透過性パウチを含む、項目６６に記載の減圧治療システム。
（項目６８）
前記透過性パウチは、一緒に密閉された２つの透過性層を含む、項目６７に記載の減圧治療システム。
（項目６９）
前記２つの透過性層は、該層の各々の周囲に沿って一緒に密閉される、項目６８に記載の減圧治療システム。
（項目７０）
前記透過性パウチは、前記スクリーンに取り付けられる、項目６７に記載の減圧治療システム。
（項目７１）
前記膨張性流体吸収材料は、１つ以上の殺菌剤を含む、項目５８に記載の減圧治療システム。
（項目７２）
前記吸引デバイスは、装填構成および空乏構成を有し、該装填構成において、磁石が、前記センサによって検出可能ではなく、該空乏構成において、該磁石は、該センサによって検出可能である、項目５７に記載の減圧治療システム。
（項目７３）
前記アラームデバイスは、前記吸引デバイスが該アラームデバイス内に保持されている際に、該吸引デバイスの配向にかかわらず、該吸引デバイスの前記構成を検出するように構成される、項目７２に記載の減圧治療システム。
（項目７４）
前記センサは、第１の場所にある第１のリードスイッチと、該第１の場所から分離している第２の場所にある第２のリードスイッチとを含み、前記アラームデバイスは、前記装填構成において、前記磁石が、該第１の場所と第２の場所との間に位置し、いずれか一方のリードスイッチによって検出可能ではなく、前記空乏構成において、該磁石が、少なくとも１つのリードスイッチによって検出可能であるように、前記吸引デバイスを保持する、項目７３に記載の減圧治療システム。
（項目７５）
前記第１の場所と第２の場所とは、第１の中間点を有する第１の線を画定し、装填構成から空乏構成までの前記磁石の進行経路は、第２の中間点を有する第２の線を画定し、該第１の中間点と第２の中間点とは、相互からオフセットされている、項目７４に記載の減圧治療システム。
（項目７６）
最も近いリードスイッチまでの前記磁石の距離は、前記装填構成におけるよりも前記空乏構成においてより小さい、項目７４に記載の減圧治療システム。
（項目７７）
前記吸引デバイスは、２つの配向で前記アラームデバイス内に保持され得る、項目７３に記載の減圧治療システム。
（項目７８）
前記吸引デバイスは、４つの配向で前記アラームデバイス内に保持され得る、項目７３に記載の減圧治療システム。
（項目７９）
前記吸引デバイスは、第１の配向および第２の配向で前記アラームデバイス内に保持されるように構成され、該第２の配向は、該吸引デバイスの横軸の周りを１８０度回転させられた該第１の配向である、項目７３に記載の減圧治療システム。
（項目８０）
前記吸引デバイスは、前記アラームデバイス内に第１の配向および第２の配向で保持され得、該第２の配向は、該吸引デバイスの縦軸の周りを１８０度回転させられた該第１の配向である、項目７３に記載の減圧治療システム。
（項目８１）
前記アラームデバイスの近位場所にリードスイッチをさらに含み、該アラームデバイスは、前記装填構成において、前記磁石が該リードスイッチによって検出可能ではなく、前記空乏構成において、該磁石が該リードスイッチによって検出可能であるように、前記吸引デバイスを保持する、項目７２に記載の減圧治療システム。
（項目８２）
減圧治療デバイスであって、
該デバイスは、
吸引チャンバ、およびその中の摺動可能なシールと、
該摺動可能なシールに連結される磁石と、
遠位部分における第１の整列突出部と、
近位部分における第２の整列突出部と
を含み、
吸引デバイスが、装填構成および空乏構成を有し、該装填構成における該磁石の該第１の整列突出部までの距離は、該空乏構成における該磁石の該第２の整列突出部までの距離よりも大きい、デバイス。
（項目８３）
減圧治療デバイスであって、
該デバイスは、
吸引チャンバ、およびその中の摺動可能なシールと、
該摺動可能なシールに連結される磁石と
を含み、
吸引デバイスが、装填構成および空乏構成を有し、該装填構成における該磁石の該吸引チャンバの遠位端までの距離は、該空乏構成における該磁石の該吸引チャンバの近位端までの距離よりも大きい、デバイス。